(57)【要約】【課題】  カメラ撮影動作に応じて、自動的にユーザー情報または撮影情報を近隣の不特定対象と通信する。通信情報を撮影画像に関連して記録する撮影装置。ユーザー情報は、Ｅメールアドレス、ｗｅｂサイトのアドレス（ＵＲＬ）を含むみ、通信する撮影情報としては、日時、位置、撮影動作モード、撮影パラメータ、などを含む。【課題】  撮像し記録する撮影手段、ユーザー情報を入力し管理するユーザー情報管理記憶手段、不特定対象とのワイヤレス通信手段、通信情報を撮影画像に関連して記録する手段をもつ撮影装置。【選択図】        図１
2005223814.tif 000002
【特許請求の範囲】
【請求項１】
撮像部と画像データの記録部からなる撮影手段、ユーザー情報を入力し記憶するユーザー情報管理記憶手段、ユーザーによる該撮影手段の撮影操作に関連した動作として、周辺の通信範囲内にあって不特定多数の他のユーザーが操作する他の撮影装置に対して該情報含む送信情報を送信する送信手段、該通信範囲内の他の撮影装置からの送信情報を受信する受信手段、受信した受信情報を保持し、撮影中の画像に関連づけて受信情報を記録する情報記録手段、を具備した事を特徴とする撮影装置。
【請求項２】
請求項１の撮影装置であって、該撮影操作は、静止画撮影時のシャッター操作または、動画撮影時の撮影開始・撮影終了を指示するトリガー操作であり、この動作に応じて、該情報の送信動作を行う事を特徴とする撮影装置。
【請求項３】
請求項１の撮影装置であって、該送信情報は、ユーザーへのアクセスが可能な情報であって、インターネットアクセスするための電子メールアドレス、または、ホームページアドレス（ＵＲＬ）情報を含む事を特徴とする撮影装置。
【請求項４】
請求項１の撮影装置であって、該送信情報は、撮影動作に関連した日時情報、または撮影位置情報を含む事を特徴とする撮影装置。
【請求項５】
請求項１の撮影装置において、該送信情報は、撮影し記録した画像データファイルへのアクセス情報またはファイル名と保存メディアのＩＤ情報を含む事を特徴とする撮影装置。
【請求項６】
請求項１の撮影装置であって、該送信情報は、撮影装置の記録または記録スタンバイ状態などを示す為の動作モード情報を含む事を特徴とする撮影装置。
【請求項７】
請求項１の撮影装置であって、該送信情報は、ユーザーが任意に作成可能なメッセージ情報を含む事を特徴とする撮影装置。
【請求項８】
請求項１の撮影装置であって、撮影中の画像をモニター表示画面に受信情報をインポーズして表示する手段を具備している事を特徴とする撮影装置。
【請求項９】
請求項１の撮影装置において、記録メディアから撮影画像を再生する場合、再生画像を撮影した（記録した）日時に受信した該情報を再生画像に応じて同時に再生し表示する事を特徴とする撮影装置。
【請求項１０】
請求項１の撮影装置であって、受信した該情報を撮影画像の位置または、記録日時情報と対応付ける情報と合わせて画像と同一メディアに記録し、再生時に画像の再生位置に応じて該情報を表示または、デジタルインターフェースを介してＰＣに転送する事を特徴とする撮影装置。
【請求項１１】
撮像部と画像データの記録部からなる撮影手段、ユーザーまたは本撮影装置の認識名称またはＩＤ情報を記憶する記憶手段、ユーザーによる該撮影手段の撮影操作に関連した動作として、周辺の通信範囲内にあって認知している他のユーザーが操作する他の撮影装置に対して該情報と撮影装置の動作モードまたは撮影パラメータに関連した情報を送信する送信手段、該通信範囲内の他の撮影装置からの該送信情報を受信する受信手段、受信した受信情報を保持し、撮影中の画像に関連づけて受信情報を記録する情報記録手段、を具備した事を特徴とする撮影装置。
【請求項１２】
請求項１１の撮影装置であって、該撮影操作は、静止画撮影時のシャッター操作または、動画撮影時の撮影開始・撮影終了を指示するトリガー操作であり、この動作に応じて、該情報の送信動作を行う事を特徴とする撮影装置。
【請求項１３】
請求項１２の撮影装置であって、動画撮影中には、周期的に該情報を送信する事を特徴とする撮影装置。
【請求項１４】
請求項１１の撮影装置であって、該送信情報は、撮影動作に関連した日時情報、または撮影位置情報を含む事を特徴とする撮影装置。
【請求項１５】
請求項１１の撮影装置において、該送信情報は、撮影し記録した画像データファイルへのアクセス情報またはファイル名と保存メディアのＩＤ情報を含む事を特徴とする撮影装置。
【請求項１６】
請求項１１の撮影装置であって、該送信情報は、撮影装置の記録または記録スタンバイ状態などを示す為の動作モード情報を含む事を特徴とする撮影装置。
【請求項１７】
請求項１１の撮影装置であって、該送信情報は、ユーザーが任意に作成可能なメッセージ情報を含む事を特徴とする撮影装置。
【請求項１８】
請求項１１の撮影装置であって、撮影中の画像をモニター表示画面に受信情報をインポーズして表示する手段を具備している事を特徴とする撮影装置。
【請求項１９】
請求項１１の撮影装置において、記録メディアから撮影画像を再生する場合、再生画像を撮影した（記録した）日時に受信した該情報を再生画像に応じて同時に再生し表示する事を特徴とする撮影装置。
【請求項２０】
請求項１１の撮影装置であって、受信した該情報を撮影画像の位置または、記録日時情報と対応付ける情報と合わせて画像と同一メディアに記録し、再生時に画像の再生位置に応じて該情報を表示または、デジタルインターフェースを介してＰＣに転送する事を特徴とする撮影装置。
【発明の詳細な説明】
【技術分野】
【０００１】
本発明は、デジタルカメラまたはデジタルビデオカメラを用いて撮影するシーンにおいて、複数の撮影者が使用する撮影装置が自動的に互いに情報交換し、その後、画像データを他者と容易に交換できる環境をユーザーに提供するためのカメラ機能に関するものである。
【０００２】
特に、面識のない不特定の撮影者間でも、撮影現場周辺での人的交流を必要とせず、後日のコンタクトが容易に行うことができるようなカメラ機能（撮影装置機能）に関するものである。
【背景技術】
【０００３】
近年、デジタルカメラやデジタルビデオカメラの普及は目を見張るものがあり、撮影した画像情報をデジタルデータのファイルとして、カメラ内のランダムアクセス可能な記録メディアであるメモリーカードや光ディスクなどに記録する装置もポピュラーになってきた。従来の銀塩フィルムによる撮影装置とはことなり、このような機器で撮影した画像は、画像データファイルの形式で通信メディアやネットワークメディアを通じて容易にやり取りができる。例えば、デジタルカメラで撮影した画像データを自宅からインターネットを通じてプリントサービス会社に送り、プリントした写真の形でショップで受け取るサービスはすでに利用されている。
【０００４】
また、カメラメーカーやインターネットプロバイダ等による会員間の画像閲覧や交換を目的としたインターネット上での画像サーバーによる、いわゆるインターネット画像サーバーサービスも一般化してきた。
【０００５】
このように、インターネットを介して電子メールはもとより、画像情報を交換するインフラは、さらにブロードバンドの急速な普及により、動画の送信までも快適にできる環境が整いつつある。
【０００６】
このようなインフラを利用することで、自分の撮影した画像以外に、その撮影現場で撮影していた他の撮影者による撮影画像を後でもらったり、あげたりすることも容易であり、知り合い関係や所定の会員間においては、比較的簡単に画像交換が可能になっている。
【０００７】
一方、知り合いのメンバー同士が各自のカメラを使って、同一被写体を連携して撮影することで、複数カメラによる多角的な撮影を行い、これを編集する事で放送局並の高度な撮影作品を実現する事もしばしば行われるが、撮影者間の情報交換は携帯電話での連絡が一般的になっている。
【特許文献１】特開２００３−３１６７０３号公報
【発明の開示】
【発明が解決しようとする課題】
【０００８】
しかしながら、撮影現場においては、各撮影者は、極めてローカルでプライベートな意識と環境であることが多く、あらかじめ知り合い同士が合意して個々のカメラを持ち連携して撮影し後で画像を交換または編集するようなケースは極めてまれである。撮影現場で初対面の関係で所望の画像交換を実現できる相手（他の撮影者）を見つけるのは、あらかじめ人的交流を必要とすることから極めて困難だと言える。また、帰ってから撮影ミスなどが見つかった場合の対応として、他の撮影者から画像をもらうために撮影現場に居合わせた他者とコンタクトを取る必要が出ても後になっては対処できない問題がある。
【０００９】
また、インターネット上で会員間が画像サーバーにより互いの撮影画像を閲覧し交換するシステムの利用においても、全国的なイベントなどと違った個人的な関わりによる日時と場所を限定したローカルなイベント、例えば、「先週行われた、横浜市ｘｘ区にあるｙｙ幼稚園の２００１年度の運動会」等での画像を交換できる相手を捜し出すことは、極めて困難であり、対象者も少ない。
【００１０】
もし仮に、同じインターネットプロバイダの会員で、撮影シーンを共有した相手を発見できても、希望の画像を撮影していたかどうかまでの確認は、サーバー上にアップされた画像からだけではさらに困難である。
【００１１】
一方、複数メンバーが連携して長い撮影経路を分割して撮影を行う場合などにおいては、自分の撮影タイミングを決める上で、他のカメラがどのような撮影モードにあるかを認識することが有効である。グループメンバー間の各カメラ装置で、他のカメラの動作状況を情報交換する手段がグループ内撮影者には求められている。
【００１２】
本発明は、上記の問題に鑑みてなされたものであり、撮影現場において、自分のカメラが近隣に居合わせた不特定で見ず知らずのユーザーが使用するカメラとの間でワイヤレス交信し、ユーザーが後で互いにアクセス可能な個人情報をカメラが自動的に交換する事を目的にする。また、知り合い同士のカメラ間においても、情報交換することで密に連携した撮影が可能となる撮影装置を提供することを目的とする。
【課題を解決するための手段】
【００１３】
本提案の第１の構成要素は、周辺の通信範囲内に居る不特定ユーザーのカメラと情報交換する無線通信手段、ユーザー情報を入力し記憶するユーザー情報管理記憶手段、ユーザーによるカメラの撮影操作に関連して、周辺の通信範囲内にあって不特定多数の他のユーザーが操作するカメラに対して該情報を送信する送信手段、該通信範囲内の他のカメラからの送信情報を受信して記憶する受信手段、撮影中の画像に関連づけて受信情報を記録する情報記録制御手段、画像再生に応じて撮影時に受信したユーザー情報を表示する手段を具備した事を特徴とする。
【００１４】
一方、第２の構成要素は、周辺の通信範囲内に居るユーザーのカメラと情報交換する無線通信手段、ユーザーまたはカメラの認識情報を記憶する記憶手段、ユーザーによるカメラの撮影操作に関連して、周辺の通信範囲内にあって他のユーザーが操作する他のカメラに対して該情報を送信する送信手段、該通信範囲内の他のカメラからの送信情報を受信する受信手段、受信した受信情報を保持し、撮影中の画像に関連づけて受信情報を記録する情報記録手段、画像再生に応じて撮影時に受信した他のカメラ情報を表示する手段を具備した事を特徴とする。
【００１５】
なお、さらに詳細に説明すれば、本発明は下記の構成によって前記課題を解決できた。
【００１６】
（１）撮像部と画像データの記録部からなる撮影手段、ユーザー情報を入力し記憶するユーザー情報管理記憶手段、ユーザーによる該撮影手段の撮影操作に関連した動作として、周辺の通信範囲内にあって不特定多数の他のユーザーが操作する他の撮影装置に対して該情報含む送信情報を送信する送信手段、該通信範囲内の他の撮影装置からの送信情報を受信する受信手段、受信した受信情報を保持し、撮影中の画像に関連づけて受信情報を記録する情報記録手段、を具備した事を特徴とする撮影装置。
【００１７】
（２）前記（１）の撮影装置であって、該撮影操作は、静止画撮影時のシャッター操作または、動画撮影時の撮影開始・撮影終了を指示するトリガー操作であり、この動作に応じて、該情報の送信動作を行う事を特徴とする撮影装置。
【００１８】
（３）前記（１）の撮影装置であって、該送信情報は、ユーザーへのアクセスが可能な情報であって、インターネットアクセスするための電子メールアドレス、または、ホームページアドレス（ＵＲＬ）情報を含む事を特徴とする撮影装置。
【００１９】
（４）前記（１）の撮影装置であって、該送信情報は、撮影動作に関連した日時情報、または撮影位置情報を含む事を特徴とする撮影装置。
【００２０】
（５）前記（１）の撮影装置において、該送信情報は、撮影し記録した画像データファイルへのアクセス情報またはファイル名と保存メディアのＩＤ情報を含む事を特徴とする撮影装置。
【００２１】
（６）前記（１）の撮影装置であって、該送信情報は、撮影装置の記録または記録スタンバイ状態などを示す為の動作モード情報を含む事を特徴とする撮影装置。
【００２２】
（７）前記（１）の撮影装置であって、該送信情報は、ユーザーが任意に作成可能なメッセージ情報を含む事を特徴とする撮影装置。
【００２３】
（８）前記（１）の撮影装置であって、撮影中の画像をモニター表示画面に受信情報をインポーズして表示する手段を具備している事を特徴とする撮影装置。
【００２４】
（９）前記（１）の撮影装置において、記録メディアから撮影画像を再生する場合、再生画像を撮影した（記録した）日時に受信した該情報を再生画像に応じて同時に再生し表示する事を特徴とする撮影装置。
【００２５】
（１０）前記（１）の撮影装置であって、受信した該情報を撮影画像の位置または、記録日時情報と対応付ける情報と合わせて画像と同一メディアに記録し、再生時に画像の再生位置に応じて該情報を表示または、デジタルインターフェースを介してＰＣに転送する事を特徴とする撮影装置。
【００２６】
（１１）撮像部と画像データの記録部からなる撮影手段、ユーザーまたは本撮影装置の認識名称またはＩＤ情報を記憶する記憶手段、ユーザーによる該撮影手段の撮影操作に関連した動作として、周辺の通信範囲内にあって認知している他のユーザーが操作する他の撮影装置に対して該情報と撮影装置の動作モードまたは撮影パラメータに関連した情報を送信する送信手段、該通信範囲内の他の撮影装置からの該送信情報を受信する受信手段、受信した受信情報を保持し、撮影中の画像に関連づけて受信情報を記録する情報記録手段、を具備した事を特徴とする撮影装置。
【００２７】
（１２）前記（１１）の撮影装置であって、該撮影操作は、静止画撮影時のシャッター操作または、動画撮影時の撮影開始・撮影終了を指示するトリガー操作であり、この動作に応じて、該情報の送信動作を行う事を特徴とする撮影装置。
【００２８】
（１３）前記（１２）の撮影装置であって、動画撮影中には、周期的に該情報を送信する事を特徴とする撮影装置。
【００２９】
（１４）前記（１１）の撮影装置であって、該送信情報は、撮影動作に関連した日時情報、または撮影位置情報を含む事を特徴とする撮影装置。
【００３０】
（１５）前記（１１）の撮影装置において、該送信情報は、撮影し記録した画像データファイルへのアクセス情報またはファイル名と保存メディアのＩＤ情報を含む事を特徴とする撮影装置。
【００３１】
（１６）前記（１１）の撮影装置であって、該送信情報は、撮影装置の記録または記録スタンバイ状態などを示す為の動作モード情報を含む事を特徴とする撮影装置。
【００３２】
（１７）前記（１１）の撮影装置であって、該送信情報は、ユーザーが任意に作成可能なメッセージ情報を含む事を特徴とする撮影装置。
【００３３】
（１８）前記（１１）の撮影装置であって、撮影中の画像をモニター表示画面に受信情報をインポーズして表示する手段を具備している事を特徴とする撮影装置。
【００３４】
（１９）前記（１１）の撮影装置において、記録メディアから撮影画像を再生する場合、再生画像を撮影した（記録した）日時に受信した該情報を再生画像に応じて同時に再生し表示する事を特徴とする撮影装置。
【００３５】
（２０）前記（１１）の撮影装置であって、受信した該情報を撮影画像の位置または、記録日時情報と対応付ける情報と合わせて画像と同一メディアに記録し、再生時に画像の再生位置に応じて該情報を表示または、デジタルインターフェースを介してＰＣに転送する事を特徴とする撮影装置。
【発明の効果】
【００３６】
本発明の請求項１−１０によれば、撮影現場で偶然居合わせた面識のない関係の撮影者間においても、Ｅメールアドレスなどのユーザー情報が無意識のうちに自動的に交換でき、後日撮影画像に関しての情報交換や画像交換を容易に可能とする事が出きる。人的交流が最小限で済むことからプライバシーの点でも極めて有効な機能である。
【００３７】
また、請求項１１―２０によれば、あらかじめ仲間である複数撮影者による共同撮影を行う際、互いに他の撮影者がどのような撮影状況にあるのかが自動的に情報交換でき、連携撮影の際のスムーズな分担撮影ができるだけでなく、複数カメラで撮影した画像メディアから、後日、編集し１つの作品を作る際においても、複数メディアまたは複数撮影者の持つ画像の関連が理解でき容易に他のユーザーの画像を検索し有効活用できる。
【発明を実施するための最良の形態】
【００３８】
以下本発明を実施するための最良の形態を、実施例により詳しく説明する。
【実施例１】
【００３９】
図１は、本発明の実施例である光ディスクメディアを用いたディスクカムコーダーのシステムブロック図である。１０１は、撮像センサー（ＣＣＤ）で撮像した画像信号をデジタルデータとして出力するカメラ画像処理部、１０２は、カメラ画像データを記録するために静止画はＪＰＥＧで、動画はＭＰＥＧ２のデータ圧縮等を施す記録再生画像処理部（ＣＯＤＥＣ）、１０３は、記録するカメラ撮影画像または再生画像をモニターしたり、装置ステータス情報や操作情報を表示するためのＬＣＤ表示器、１０４は、１０２で加工された画像データと１０９からの付随情報やメタデータをランダムアクセスメディアにデータファイルとして記録するために、所定のデータフォーマットに準拠したデータファイル作成回路（フォーマッター回路）、１０５は、光ディスクによる記録メディアドライブユニット部、１０６はシステムコントロール回路、１０７は、ユーザーが撮影操作とメニュー操作やユーザー情報を入力する操作ＫＥＹ、１０８は、ユーザー情報を保持するメモリー回路、１０９は、１０８に保持されているユーザー情報の送信制御と受信した情報を記録画像のデータファイルにメタデータとして挿入する副情報制御回路、１１０は、Ｂｌｕｅｔｏｏｔｈ規格に対応した無線通信回路である。
【００４０】
図２は、本実施例である撮影装置において、ユーザー操作によるカメラのモード遷移動作とカメラ間の交信タイミングを説明するための図である。
【００４１】
２０１は、ユーザー本人が操作するカメラ１を持ち、撮影現場に居合わせた時間とカメラモードを時系列的に示しており、破線期間はカメラが撮影スタンバイまたは撮影記録モード以外のモード（パワーオフまたは再生モードなど）にある状態を示している。
【００４２】
２０２は、同様に通信範囲内の他のユーザーが持つカメラ２の動作モードを時系列的に示したものである。２０３、２０４の実線期間は、各カメラ１，２が撮影スタンバイ状態にある時間。２０５、２０６の長方形期間は、動画と静止画の実記録動作時間を示している。
【００４３】
２０７、２０８の太線期間は、各カメラ撮影する動画と静止画の記録データに対して受信情報をメタデータとして画像情報データにミックスして記録している動作期間を示している。２０９、２１０、２１２，２１４は、各カメラの動作モードの遷移動作に応じて図示のタイミングで、周辺のカメラに対して情報交換を呼びかけるデータ送信動作を示す。２１１、２１３、２１５は受信した呼びかけ送信に対して、通信地域内の他のカメラが応答し、ユーザー情報を送り返す通信動作と呼びかけをしたカメラからのユーザー情報送信動作の両方をしめしている。
【００４４】
この両図に基づいて、カメラ１（ユーザー本人、以下、本ユーザーと称す）とカメラ２（別のユーザーで、ユーザー２と称す）とが撮影現場に居合わせた場合の各カメラの撮影動作とカメラ間の通信について詳細を説明する。カメラ１とカメラ２は、どちらも図１のシステムであることとして、同一部分については、同じ番号と、呼び名で説明を進める。
【００４５】
撮影現場は、通信範囲圏内として幼稚園運動会の日の園庭を想定して説明する。
【００４６】
まず本ユーザーはカメラ１を持ち、撮影現場である幼稚園の園庭に来た時点から説明する。
【００４７】
カメラは電源オフ状態で園庭に持ち込まれる、この時点を図２Ｐ１で示す。この時点には、ユーザー２のカメラ２は、すでにその前のＱ１点の時点より園庭近辺に来ていたが、カメラ２の電源は入っていなかった。Ｐ１時点でも、まだカメラ１、２は共に電源が入って居らず、ＳＴＯＰ状態になっており、どちらも通信は行わない。
【００４８】
双方のカメラにはユーザー情報の交換機能（以下、自己紹介通信機能と呼ぶ）が搭載されており、双方のユーザーは各ユーザーのハンドルネイムと電子メールアドレスをあらかじめカメラに入力してあり、この状態においては、各カメラ設定においてその自己紹介通信機能動作をＯＮ状態の設定としているものとする。
【００４９】
このような状態から、各カメラのユーザー操作によって動作モードを遷移する事により通信が行われる様子を説明する。
【００５０】
ユーザー２が先にカメラ２の電源モードを撮影スタンバイ状態にした時点をＱ２点とする。このとき、カメラ２は、撮影スタンバイモードへのモード遷移動作を行いつつ、同時にカメラ２から近隣のＢｌｕｅｔｏｏｔｈ通信範囲内のカメラに対して、ユーザー２がカメラ２に設定済みの送信情報であるユーザー情報（ここではユーザーのハンドルネイムとＥメールアドレス）がメモリー１０８から読み出され、同時にカメラの動作モードである撮影スタンバイ状態を示す動作コード情報が、コントローラ１０６より副情報制御回路１０９に送られる。１０９では、カメラ１のユーザー情報とモード情報を送信するようにＢｌｕｅｔｏｏｔｈ回路１１０に送られる。Ｂｌｕｅｔｏｏｔｈ回路１１０では、通信範囲内の他のカメラに向けて、自己紹介通信機能としての通信応答を求めるネゴシエイションの呼びかけ送信（図２  ２０９）が行われる。
【００５１】
この時点では、カメラ１の電源モードは、まだオフ状態であり、通信可能モードではないので、応答はない。図では、２台のカメラしか示していないが、もし他のカメラが通信可能地域で応答状態に有れば応答が入ることになるが、この時点では、他に応答するカメラが通信範囲内に存在しない想定なので、カメラ２のモニター画面には、所定時間待ってから応答カメラ無しである事を示すコメント表示が出るのみである。ユーザー２は、近隣に自己紹介対応カメラが動作状態にない事がわかる。
【００５２】
続いて、次に、本ユーザー（ユーザー１）が撮影準備として、カメラ１の電源モードを撮影スタンバイモードにした時点をＰ３でしめしている。カメラ１はシステムコントロール１０６のシステム制御に応じて撮影スタンバイ状態になり、撮影する被写体に向けてユーザーは構図を決める作業に入る。このとき周辺の他のカメラに対してカメラ２と同様に、カメラ１から自己紹介通信機能の呼びかけ通信（図２  ２１０）を発信する。
【００５３】
この時点では、通信範囲内にあるカメラ２もスタンバイモードにあることから、カメラ１の呼びかけ２１０に対してこれを受信し、応答可能状態にあることから、即座に応答としてユーザー２のユーザー情報がカメラ２からカメラ１に対して返信される。折り返しカメラ１からカメラ２に向けてカメラ１で設定されている通信設定済み情報が送られる（図２  ２１１）。ここでは、ユーザーハンドルネイムとＥメールアドレスおよび、カメラの動作モード情報が送られる。
【００５４】
カメラ１では、カメラ２からの返信を受信し、通信範囲圏内にカメラ２がスタンバイ状態で存在し、そのユーザー（ユーザー２）のハンドルネイムと電子メールアドレス情報とを合わせて入手する事ができる。カメラ１のモニター画面では、カメラ２の存在が表示される。同時に、カメラ２のユーザーハンドルネイムとカメラモード情報とＥメールアドレス情報とが撮影画像に対応してメタデータとして記録される準備が副情報制御回路１０９にて行われる。
【００５５】
このときカメラ１は、記録スタンバイ中であるが、モニター上にはカメラ２の存在が表示されており、このまま記録が始まれば受信済みの情報が画像に対応して記録される。
【００５６】
図３は、通信手順を説明する為のシーケンス図である。図２では呼びかけ送信とデータ交信で説明したが、より具体的には、この図にあるように呼びかけ応答、ユーザーデータ送信、受信の４工程の通信により相互にユーザー情報は交換される。
【００５７】
図４は、記録する動画画像ファイルのデータ構成を示している。ヘッダー部分は、管理情報としてのファイルエントリー情報とサムネイル画像でデータで構成される。ボデー部分は、ＭＰＥＧ２圧縮した画像データ、フッター部分は、記録開始時点からの経過時間と対応するデータ位置を示すタイムテーブル情報と画像と対応付けするメタデータ情報である。メタデータ情報としては、撮影時の時々刻々と変化するカメラパラメータ（ＡＦ、ＺＯＯＭ、ＡＥ、）などが含まれる。本実施例では、このフッター部分に、記録画像と対応して、自己紹介通信機能による近隣のカメラのユーザー情報と動作モードが記録される。
【００５８】
その後、Ｐ４タイミングでユーザー１の操作によりカメラ１は記録モードに入る。
【００５９】
この時点で、あらためて自己紹介通信機能の呼びかけ送信が発信される（２１２）。ここでも、カメラ２との自己紹介通信機能によるデータ交換が行われ、受信情報はそのまま記録画像のメタデータとして画像ファイルデータに組み込まれて記録される。記録期間２０５の中の太線２０７は、画像に対応付けしたメタデータの記録中であることを示している（もし再生モードで、この期間の画像データを再生した場合、メタデータとして記録されたカメラ２の情報が表示される）。
【００６０】
次に、カメラ２がＱ４タイミングで静止画画像を撮影した場合を示している。このタイミングでもカメラ１では撮影スタンバイ中なので、同様にカメラ２より通信範囲内のカメラ１に対して自己紹介ネゴシエイション送信が行なわれ（２１４）、カメラ１とのユーザー情報交換（２１５）が行なわれる。カメラ２に記録される静止画像ファイルのメタデータとしてユーザー１の個人情報（ハンドルネイムとＥメールアドレス）とカメラ１の動作モード情報（２０８）が記録される。
【００６１】
図５は、撮影スタンバイまたは撮影記録モード中のモニター画面に表示された近隣のカメラから送られてきたユーザー情報を示している。この図では２台のカメラから返信があり、自己紹介通信の結果として、２名のユーザー情報としてユーザーのハンドルネイムがとカメラ動作モードが表示されている場合を示している。
【００６２】
図６は、後で、撮影画像を再生モードで再生している場合において、ユーザー情報も同時に再生し、モニター表示している状態を示している。再生しているユーザーは、この表示を見て、関連画像を交換出きる相手として、表示されているＥメールアドレスにＰＣからインターネットを介して容易に問い合わせが可能となった。
【００６３】
近年、Ｅメールアドレスは、いわゆるフリーメールアドレスの利用も多くなっており、無料で容易にアドレス取得が可能となっている。テンポラリーに使用する目的のメールアドレスを短期間に使い分ける事で、プライバシー上でも心配のないメールアドレスを本提案のような用途に利用すれば、セキュリティー上の問題も軽減されるので、極めて行こうな機能と言える。
【００６４】
以上説明したように、本実施例では、自己紹介通信を自動的に行なうタイミングを、動作モード遷移時である、撮影スタンバイと動画記録開始時または、静止画撮影時において近隣のカメラに対して送信し、ネゴシエイション確認後、各カメラのユーザー情報と動作モード情報が互いに交換され、その後の記録画像と対応して画像と一緒に記録されるビデオカメラの動作と機能を説明した。
【００６５】
不図示の第２の実施例として、スタンバイ時や撮影画像の記録開始時ばかりでなく、動画を記録中においても所定時間間隔または、ユーザー操作により自己紹介通信機能を動作させ、近隣のユーザー情報を交信して最新状況のデータとして画像とともに記録することも可能である。これによって、より撮影画像に細かく対応したユーザー情報を交換し、利用することも可能である。
【００６６】
この場合は、記録中の所定タイマーにより、自動的に交信起動する。また、ユーザーによるマニュアル交信を行えるように操作ＫＥＹを設ける方法もある。
【００６７】
上記の実施例では、Ｅメールアドレスとカメラの動作モード情報を合わせて交換する方式を説明したが、前述の必要性の説明にあるように、仲間同士の連携撮影を行なうケースなどでは、Ｅメールアドレスは不要であり、より撮影を連携し、よりよい画質での撮影をもくてきとして、カメラ撮影パラメータを交換する事も可能である。
【００６８】
本提案は、動画、静止画に関わらず、各記録画像に対して周辺に居合わせた他のユーザー情報または、撮影情報を記録することで極めて有効な機能を提供する事が出きる。
【図面の簡単な説明】
【００６９】
【図１】実施例のシステムブロック図
【図２】実施例の通信タイミングの説明図
【図３】プロトコル通信シーケンス
【図４】ＭＰＥＧ２動画ファイルのデータ構造
【図５】記録中のモニター表示
【図６】再生中のモニター表示
【符号の説明】
【００７０】
１０１は、撮像センサー（ＣＣＤ）で撮像した画像信号をデジタルデータとして出力するカメラ画像処理部
１０２は、カメラ画像データを記録するために静止画はＪＰＥＧで、動画はＭＰＥＧ２のデータ圧縮等を施す記録再生画像処理部（ＣＯＤＥＣ）
１０３は、記録するカメラ撮影画像または再生画像をモニターしたり、装置ステータス情報や操作情報を表示するためのＬＣＤ表示器
１０４は、１０２で加工された画像データと１０９からの付随情報やメタデータをランダムアクセスメディアにデータファイルとして記録するために、所定のデータフォーマットに準拠したデータファイル作成回路（フォーマッター回路）
１０５は、光ディスクによる記録メディアドライブユニット部
１０６は、システムコントロール回路
１０７は、ユーザーが撮影操作とメニュー操作やユーザー情報を入力する操作ＫＥＹ
１０８は、ユーザー情報を保持するメモリー回路
１０９は、１０８に保持されているユーザー情報の送信制御と受信した情報を記録画像のデータファイルにメタデータとして挿入する副情報制御回路
１１０は、Ｂｌｕｅｔｏｏｔｈ規格に対応した無線通信回路
２０１は、ユーザー本人が操作するカメラ１の撮影現場に居合わせた時間とカメラモードを時系列的変化
２０２は、他のユーザーが持つカメラ２の動作モードを時系列的に示したものである。
２０３、２０４の実線期間は、各カメラ１，２が撮影スタンバイ状態にある時間。
２０５、２０６の長方形期間は、動画と静止画の実記録動作時間を示している。
２０７、２０８の太線期間は、各カメラ撮影する動画と静止画の記録データに対して受信情報をメタデータとして画像情報データにミックスして記録している動作期間を示している。
２０９、２１０、２１２，２１４は、各カメラの動作モードの遷移動作に応じて図示のタイミングで、周辺のカメラに対して情報交換を呼びかけるデータ送信動作を示す。
２１１、２１３、２１５は、受信した呼びかけ送信に対して、通信地域内の他のカメラが応答し、ユーザー情報を送り返す通信動作と呼びかけをしたカメラからのユーザー情報送信動作の両方をしめしている。
４０１は、画像データファイルのヘッダー
４０２は、画像データファイルのメインデータであるボデー
４０３は、画像の副情報であるメタデータが入るフッター
【図１】
2005223814.tif 000003
【図２】
2005223814.tif 000004
【図３】
2005223814.tif 000005
【図４】
2005223814.tif 000006
【図５】
2005223814.tif 000007
【図６】
2005223814.tif 000008